(57)【特許請求の範囲】
【請求項１】
駆動ユニットと、
前記駆動ユニットに接続されたソーラーパネルと、
前記駆動ユニットの動作を制御するマイクロコントローラと、
太陽位置に関するデータを前記マイクロコントローラへ送る太陽追跡ユニットと、
前記駆動ユニットによる作用により前記ソーラーパネルが露出位置から退避した際、前記ソーラーパネルを受け入れるシェルターと、
を含み、
前記駆動ユニットは前記シェルターに接続されたシャフトを含み、前記シャフトは、前記シェルターを前記パネル上に移動させかつ前記パネルから離隔方向に移動させるように、前記マイクロコントローラによって制御されているシステム。
【請求項２】
駆動ユニットと、
前記駆動ユニットに接続されたソーラーパネルと、
前記駆動ユニットの動作を制御するマイクロコントローラと、
太陽位置に関するデータを前記マイクロコントローラへ送る太陽追跡ユニットと、
前記駆動ユニットによる作用により前記ソーラーパネルが露出位置から退避した際、前記ソーラーパネルを受け入れるシェルターと、
を含み、
前記シェルターは建物および車両のうちの１つの壁部の後側の凹所であり、前記駆動ユニットは前記パネルに接続されたシャフトを含み、前記シャフトは前記マイクロコントローラによって平行移動されることによって制御され、前記シャフトは前記凹所から延びるように適合され、これにより、前記パネルは前記壁部から離隔方向において展開させられおよび前記凹所内に退避され、これにより、前記パネルを保護位置へと退避させるシステム。
【請求項３】
駆動ユニットと、
前記駆動ユニットに接続されたソーラーパネルと、
前記駆動ユニットの動作を制御するマイクロコントローラと、
太陽位置に関するデータを前記マイクロコントローラへ送る太陽追跡ユニットと、
前記駆動ユニットによる作用により前記ソーラーパネルが露出位置から退避した際、前記ソーラーパネルを受け入れるシェルターと、
を含み、
前記シェルターは張出し屋根の下側の下端および建物の下向き面のうちの１つであり、前記駆動ユニットは前記シェルターに固定された電動シャフトを含み、前記マイクロコントローラは前記シャフト周囲における前記パネルの回転を監視しているシステム。
【請求項４】
駆動ユニットと、
前記駆動ユニットに接続されたソーラーパネルと、
前記駆動ユニットの動作を制御するマイクロコントローラと、
太陽位置に関するデータを前記マイクロコントローラへ送る太陽追跡ユニットと、
前記駆動ユニットによる作用により前記ソーラーパネルが露出位置から退避した際、前記ソーラーパネルを受け入れるシェルターと、
を含み、
前記シェルターはハウジングであり、前記駆動ユニットは前記パネルを前記ハウジング内に懸架するシャフトを含み、前記シャフトは前記マイクロコントローラによって回転させられることにより制御されており、
前記パネルは、前記シャフト周囲において前記ハウジング内において上向き位置と下向き位置との間で回転可能であり、前記上向き位置において前記パネルの作動表面が上方に露出し、太陽位置によって決定される一定範囲の作動位置において作動可能であり、前記下向き位置において前記パネルの作動表面が前記ハウジング内において保護されるシステム。
【請求項５】
駆動ユニットと、
前記駆動ユニットに接続されたソーラーパネルと、
前記駆動ユニットの動作を制御するマイクロコントローラと、
太陽位置に関するデータを前記マイクロコントローラへ送る太陽追跡ユニットと、
前記駆動ユニットによる作用により前記ソーラーパネルが露出位置から退避した際、前記ソーラーパネルを受け入れるシェルターと、
を含み、
前記シェルターはシャッターであり、前記パネルは前記シャッターの片面上において支持され、前記駆動ユニットは前記シャッターに固定された電動シャフトを含み、前記マイクロコントローラは前記シャッターの前記シャフトの周囲における回転を監視しているシステム。
【請求項６】
前記駆動ユニットは前記シャフトを支持するレールを含んでいる請求項１〜５のいずれか一項に記載のシステム。
【請求項７】
前記太陽追跡ユニットは、フォトレジスティブセル、フォトトランジスタおよび差動センサのうち少なくとも１つを含んでいる請求項１〜５のいずれか一項に記載のシステム。
【請求項８】
前記パネルのセルの出力を測定し、データを前記マイクロコントローラに送信するセンサをさらに含んでいる請求項１〜５のいずれか一項に記載のシステム。
【請求項９】
前記マイクロコントローラは、前記センサによって測定された出力が閾値を下回った場合、前記駆動ユニットによって前記パネルを非動作位置へと退避させるよう命令する請求項７に記載のシステム。
【請求項１０】
前記シェルターに対するパネルの位置に関するデータを送信するリミットスイッチをさらに含んでいる請求項１〜５のいずれか一項に記載のシステム。
【請求項１１】
前記マイクロコントローラは、少なくとも１つの軸周囲における回転による前記ソーラーパネルの太陽に対する方向付けと、前記ソーラーパネルの展開動作位置から前記シェルター内における保護された非動作位置への動作と、を監視している請求項１〜５のいずれか一項に記載のシステム。
【請求項１２】
前記マイクロコントローラは、外部ネットワーク、ユーザインターフェースおよび気象観測所のうち少なくとも１つにさらに接続されている請求項１〜５のいずれか一項に記載のシステム。
【請求項１３】
前記マイクロコントローラは、気圧計、フォトレジスティブセル、フォトトランジスタおよび風速計のうち少なくとも１つを含んだ１組のセンサにさらに接続されている請求項１〜５のいずれか一項に記載のシステム。
【請求項１４】
前記マイクロコントローラは電話網およびケーブルネットワークのうちの１つにさらに接続されている請求項１〜５のいずれか一項に記載のシステム。
【請求項１５】
前記マイクロコントローラはアラームシステムにさらに接続されている請求項１〜５のいずれか一項に記載のシステム。
【請求項１６】
前記マイクロコントローラは、局所的に配置されたセンサからのデータおよび外部ネットワークからのデータのうち少なくとも１つに従って、少なくとも１つの軸周囲における回転による前記ソーラーパネルの太陽に対する方向付けと、前記ソーラーパネルの展開動作位置から前記シェルター内における保護された非動作位置への動作と、を監視している請求項１〜５のいずれか一項に記載のシステム。
【請求項１７】
前記外部ネットワークからのデータは計算データおよび気象予報を含んでいる請求項１６に記載のシステム。
【請求項１８】
前記パネルはハウジング内において懸架されている請求項１〜５のいずれか一項に記載のシステム。
【請求項１９】
前記シェルターはカバーであり、前記駆動ユニットは前記マイクロコントローラによって制御されるように前記カバーを前記パネル上に移動させ、前記パネルから離隔方向に移動させる請求項１〜５のいずれか一項に記載のシステム。
【請求項２０】
前記パネルは可撓性であり、前記駆動ユニットは前記マイクロコントローラによって制御されるように前記可撓性パネルを折りたたませ、前記可撓性パネルを展開させる請求項１〜５のいずれか一項に記載のシステム。
【発明の詳細な説明】
【技術分野】
【０００１】
本発明は、ソーラーパネルに関する。より詳細には、本発明は、ソーラーパネルの最適化および保護のための方法およびシステムに関する。
【背景技術】
【０００２】
ソーラーパネルを使用した電力供給システムが公知である。
【先行技術文献】
【非特許文献】
【０００３】
【非特許文献１】Ｆ．Ｃ．ＭｃＱｕｉｓｔｏｎ、Ｊ．Ｄ．Ｐａｒｋｅｒ、Ｊ．Ｄ．Ｓｐｉｔｌｅｒ、Ｈｅａｔｉｎｇ，Ｖｅｎｔｉｌａｔｉｎｇ，ａｎｄ  Ａｉｒ  Ｃｏｎｄｉｔｉｏｎｉｎｇ，Ａｎａｌｙｓｉｓａｎｄ  Ｄｅｓｉｇｎ，Ｗｉｌｅｙ、第６版、２００５年
【発明の概要】
【発明が解決しようとする課題】
【０００４】
本発明の目的は、ソーラーパネルの最適化および保護のための方法およびシステムを提供することである。
【課題を解決するための手段】
【０００５】
システムが提供される。このシステムは、駆動ユニットと、前記駆動ユニットに接続されたソーラーパネルと、前記駆動ユニットの動作を制御するマイクロコントローラと、太陽位置に関するデータを前記マイクロコントローラへ送る太陽追跡ユニットと、前記駆動ユニットによる作用により前記ソーラーパネルが露出位置から退避した際、前記ソーラーパネルを受け入れるシェルターと、を含む。
【０００６】
ソーラーパネルの最適化のための方法がさらに提供される。この方法は、ソーラーパネルを駆動ユニットに接続するステップと、前記駆動ユニットをマイクロコントローラに接続するステップと、太陽位置に関するデータを前記マイクロコントローラへ送る太陽追跡ユニットに前記マイクロコントローラを接続するステップと、シェルターを設けるステップと、前記マイクロコントローラによって前記駆動ユニットを監視して、前記駆動ユニットにより、前記ソーラーパネルを少なくとも１つの軸の周囲において太陽位置に対して回転により方向付け、前記ソーラーパネルを展開動作位置から前記シェルター内における保護された非動作位置へと移動させるステップと、を含む。
【０００７】
本発明の他の目的、利点および特徴は、以下のひとえに例示目的のための特定の実施形態の非限定的な説明を添付図面を参照して読めば、より明らかになる。
【図面の簡単な説明】
【０００８】
【図１】本発明の態様の実施形態によるシステムの一般図である。
【図２】当該分野において公知のシステムと、図１のシステムとの瞬時電力（Ｗ）対時間（ｈｈ：ｍｍ）のグラフである。
【図３ａ】図１のシステムの実施形態によるシステムを示し、ソーラーパネルがそれぞれ作動位置および保護位置にある様子を示す。
【図３ｂ】図１のシステムの実施形態によるシステムを示し、ソーラーパネルがそれぞれ作動位置および保護位置にある様子を示す。
【図３ｃ】前記システムの詳細を示す。
【図４ａ】図１のシステムの別の実施形態を示し、ソーラーパネルがそれぞれ作動位置および保護位置にある様子を示す。
【図４ｂ】図１のシステムの別の実施形態を示し、ソーラーパネルがそれぞれ作動位置および保護位置にある様子を示す。
【図５ａ】図１のシステムの駆動ユニットの詳細を示す。
【図５ｂ】図１のシステムの駆動ユニットの詳細を示す。
【図５ｃ】図１のシステムの駆動ユニットの詳細を示す。
【図５ｄ】図１のシステムの駆動ユニットの詳細を示す。
【図５ｅ】図１のシステムの駆動ユニットの詳細を示す。
【図６ａ】本発明のシステムのさらなる実施形態を示す。
【図６ｂ】本発明のシステムのさらなる実施形態を示す。
【図７ａ】本発明のシステムのさらなる実施形態を示す。
【図７ｂ】本発明のシステムのさらなる実施形態を示す。
【図８ａ】本発明のシステムのさらなる実施形態を示す。
【図８ｂ】本発明のシステムのさらなる実施形態を示す。
【図８ｃ】本発明のシステムのさらなる実施形態を示す。
【図９ａ】本発明のシステムのさらなる実施形態を示す。
【図９ｂ】本発明のシステムのさらなる実施形態を示す。
【図１０ａ】本発明のシステムのさらなる実施形態を示す。
【図１０ｂ】本発明のシステムのさらなる実施形態を示す。
【図１０ｃ】本発明のシステムのさらなる実施形態を示す。
【図１０ｄ】本発明のシステムのさらなる実施形態を示す。
【図１０ｅ】本発明のシステムのさらなる実施形態を示す。
【図１０ｆ】本発明のシステムのさらなる実施形態を示す。
【図１１ａ】本発明のシステムのさらなる実施形態を示す。
【図１１ｂ】本発明のシステムのさらなる実施形態を示す。
【図１１ｃ】本発明のシステムのさらなる実施形態を示す。
【図１１ｄ】本発明のシステムのさらなる実施形態を示す。
【図１１ｅ】本発明のシステムのさらなる実施形態を示す。
【図１２ａ】本発明のシステムのさらなる実施形態を示す。
【図１２ｂ】本発明のシステムのさらなる実施形態を示す。
【図１２ｃ】本発明のシステムのさらなる実施形態を示す。
【図１２ｄ】本発明のシステムのさらなる実施形態を示す。
【図１３ａ】本発明のシステムのさらなる実施形態を示す。
【図１３ｂ】本発明のシステムのさらなる実施形態を示す。
【図１３ｃ】本発明のシステムのさらなる実施形態を示す。
【図１３ｄ】本発明のシステムのさらなる実施形態を示す。
【図１４】本発明のシステムのさらなる実施形態を示す。
【図１５ａ】本発明のシステムのさらなる実施形態を示す。
【図１５ｂ】本発明のシステムのさらなる実施形態を示す。
【図１５ｃ】本発明のシステムのさらなる実施形態を示す。
【図１６ａ】本発明のシステムのさらなる実施形態を示す。
【図１６ｂ】本発明のシステムのさらなる実施形態を示す。
【図１６ｃ】本発明のシステムのさらなる実施形態を示す。
【図１７ａ】本発明のシステムのさらなる実施形態を示す。
【図１７ｂ】本発明のシステムのさらなる実施形態を示す。
【図１７ｃ】本発明のシステムのさらなる実施形態を示す。
【発明を実施するための形態】
【０００９】
主に、ソーラーパネルの最適化および環境からの保護のためのシステムが提供される。
【００１０】
図１に示すように、本システムは、ソーラーパネル１０と、マイクロコントローラ１２と、を通常含む。マイクロコントローラ１２は、１本または２本の軸周囲における回転（図１中の回転１および回転２を参照）によるソーラーパネル１０の太陽（Ｓ）に対する方向付けと、展開動作位置からシェルター１６内における保護された非動作位置へのソーラーパネルの動作（図１中の平行移動を参照）と、を監視する。各軸は、モータによっておよび／または動力装置を用いて駆動され得る。その動作位置において、ソーラーパネル１０は、太陽（Ｓ）からエネルギーを受け取り、マイクロコントローラ１２は、モータＲ１および／またはモータＲ２を駆動して、回転１の軸および／または回転２の軸それぞれの周囲におけるソーラーパネル１０の方向付けを制御して、シェルター１６から露出させる。また、マイクロコントローラ１２は、損傷条件が検出されるたびに、例えば以下に説明するようにモータＴを制御することにより、シェルター１６の外部の動作位置からシェルター１６内部の保護位置へのパネルの平行移動動作（図１中の平行移動を参照）も制御する。
【００１１】
マイクロコントローラ１２は、太陽位置追跡のためのデータを、例えばフォトレジスティブセル／フォトトランジスタまたは例えば差動センサ１８から受信し得る。マイクロコントローラ１２はまた、パネル１０のセルの出力を測定するセンサ２０からのデータも受信し、また、例えばパネル１０をシェルター１６内の非動作位置へと退避させることにより、パネル１０の動作を停止させるように、プログラムされる。このような退避は、測定出力が閾値に到達することで、パネル１０をこれ以上使用した場合重大な損傷にさらされる危険性があることが示された際に、行われる。さらなるセンサ２２（例えば、リミットスイッチ）を用いて、シェルター１６からのパネル１０の動作範囲を最大まで示すことができる。
【００１２】
マイクロコントローラ１２は、外部ネットワーク３０および／またはユーザインターフェース３２へと接続され得る。さらに、マイクロコントローラ１２は、気象観測所３４（すなわち、一組のセンサ（例えば、気圧計、フォトレジスティブセル／フォトトランジスタ、風速計など）へと接続され得る。
【００１３】
外部ネットワーク３０は、電話網またはケーブルネットワークあるいは任意の通信システムであり得る。
【００１４】
ユーザインターフェース３２により、ユーザはシステムの構成およびシステム状態の監視を行うことができる。システムにソフトウェアを設けることで、システムを自動化することができる。システムは、例えば太陽位置を決定するフォトレジスティブセル／フォトトランジスタ１８を用いることにより、自己充足型とすることができる。システムは、アラームシステムにさらに接続され得る。
【００１５】
太陽（Ｓ）の追跡は、センサ１８によって行われる。しかし、条件によってはセンサによる直接的追跡を正確に行うことができない場合（例えば、曇天の場合）があるため、方程式および外部ネットワーク３０を通じて、さらなる追跡ツールが提供される。実際、地球上の位置に対する太陽位置は、公知の方程式を用いて予測することが可能である（非特許文献１）（参考ウェブ：ｈｔｔｐ：／／ａａ．ｕｓｎｏ．ｎａｖｙ．ｍｉｌ／ｄａｔａ／ｄｏｃｓ／ＲＳ＿ＯｎｅＤａｙ．ｐｈｐ）。そのため、システムの位置および時間を知ることで、太陽が来るであろう位置を計算することができる。太陽位置（Ｓ）に関するこれらの異なるデータ源を比較することにより、太陽の正確な位置を知ることができ、これにより、パネル１０の方向付けの最適化およびパネル１０の性能の最適化が常時可能となる。
【００１６】
この太陽追跡最適化の他に、本システムにより、パネル１０を有効に保護することが可能となる。このような保護は、上述したようなパネル１０の出力量の（センサ２０を通じた）監視や、例えば降雨または切迫した悪条件についての通知を得るための外部ネットワーク３０および例えば気象観測所３４への接続により得られる。パネル１０は、動作位置から非動作位置へと手動で移動させることも可能である。シェルター１６により、パネル１０を所望の時に（例えば盗難防止のために）いつでも格納することが可能となる。
【００１７】
パネル１０の動作位置から非動作位置への退避を促す条件を挙げると、例えば、マイクロコントローラ１２が気象観測所３４および／または外部ネットワーク３０から受信した気象予報条件が悪い場合や、例えば上述したようなパネル１０の表面上に設けられたセンサ２０からの、ソーラーパネルのセルの不具合に関連する検出値がある。ユーザが、ユーザインターフェース３２を通じてまたは外部ネットワーク３０を通じてリモートにコマンドを開始することもできる。
【００１８】
図２は、本発明の実施形態によるシステムによって得られた結果（四角形）と、先行技術のシステムによって得られた結果（ひし形）と、における、１日における日の出から日の入りまでの瞬時電力（Ｗ）対時間（ｈｈ：ｍｍ）を示す。前記比較において用いられる先行技術のシステムは、南方向において４５度で方向付けられた固定パネルを含む。４５度で方向付けられた固定パネルは、ケベック州において行われた以下の実験（例えば、下記を参照：ｈｔｔｐｓ：／／ｇｌｆｃ．ｃｆｓｎｅｔ．ｎｆｉｓ．ｏｒｇ／ｍａｐｓｅｒｖｅｒ／ｐｖ／ｉｎｄｅｘ．ｐｈｐ？）によれば、固定パネルについて最良の構成として知られている。明らかに分かるように、本発明のシステム（四角形）により、瞬時電力における利得が明確かつ持続的に得られている。
【００１９】
以下において、本システムの複数の応用について説明する。
【００２０】
図３〜図６において、例えば、建物に対して本システムが図示されている。
【００２１】
図３ａおよび図４ａにおいて、ソーラーパネル１０が建物（例えば、家屋４０）の外壁４２の表面から延びている様子が図示されている。ソーラーパネル１０は、図３ｂ、図３ｃ、図４ａおよび図４ｂ中に示すように、この壁上に設けられた凹所４４から設けられている。図３ｃ中に最良に示されるように、各パネル１０は、壁部４２の背側に収容された駆動ユニット４６により、動作される。
【００２２】
図３ｃおよび図５に示すように、駆動ユニット４６は、モバイルシャフト４８を含む。図５ａにおいて、シャフト４８が伸長位置にある様子が図示されており、この伸長位置において、例えば、図３ａ、図３ｃ、図４ａおよび図４ｂ中の壁部４２から離隔位置においてパネル１０が支持される。シャフト４８を退避させるには、例えば、図５ｂ中に示す退避位置へとシャフト４８を平行移動（図５ａ中の矢印Ａを参照）させ、例えば図３ｂに示す保護位置へとパネル１０を退避させる。
【００２３】
図５中に最良に示すように、パネル１０はシャフト４８の自由端５０へと固定され、これにより、必要なときに、パネル１０を環境から保護するために、パネル１０を凹所４４を通じて、例えばレール５２（図５ｃ中の部分を参照）上においてガイドして、壁部４２の後側へと退避させることができる。
【００２４】
図３ｂに示すようにパネル１０を壁部４２の後側に完全退避させた場合、例えばトラップドア（図示略）などにより、壁部４２中の開口部４４を閉めることができる。
【００２５】
パネル１０は、異なる軸（図５ａ中の矢印Ｃおよび図５ｃ中の矢印Ｄを参照）に基づいて、本明細書中上記において述べたようなモータを用いて方向付けることができ、これにより、パネル１０を太陽位置に従って動作位置において最良に方向付けることができる。．これらの軸は、複数のモータ．．．によって駆動される一定範囲のアクチュエータ（例えば、レバー、歯車、ウォームねじ、引っ張り棒など）による作用下において、移動させることができる。
【００２６】
シャフト４８は、油圧シャフト、空気圧式シャフト、機械式シャフトまたは電気シャフトであり得、例えばモータによって駆動され、例えばレール５２またはホイールによってガイドされる。シャフト４８は、手動駆動してもよい。
【００２７】
図４および図５ｄ中において、パネル１０が二つの１／２パネル１０ａおよび１／２パネル１０ｂを含む様子が図示されている。これら２つの１／２パネル１０ａおよび１／２パネル１０ｂは共にヒンジ付けされ、図３ａおよび図４ａ中に示すように完全展開させることも可能であるし、あるいは、図４ｂに示すように前記ヒンジを軸として相互に折りたたむことも可能である。この実施形態において、パネル１０が壁部４２から離れた伸長位置にある場合でも、パネル１０の作動表面を保護することができる。さらに、このような配置構成により、前記パネルの動作位置における作動表面が拡張され、シェルター内への退避時（アパチャ４４を通じた壁部４２の後側）における全体的な寸法が縮小される。
【００２８】
図６ａおよび図６ｂに示すように、パネル１０をハウジング６０内において支持することができる。ハウジング６０は、引き出しとして、例えば建物の壁部４２の後側に退避させることができる。
【００２９】
図７に示すように、本システムは、車両（例えば、ＲＶまたは商用トラックまたは旅客バス、または個人用車両）に適用することができる。本システムにより、車両の移動時（図７ａを参照）のおいて、これらのパネルを車両の構造内に格納することが可能になる。その後、例えば当該車両の静止時において、本システムにより、太陽エネルギーの利用のために前記パネルを伸長および方向付けることが可能になり（図７ｂおよび図７ｃを参照）、例えば気象条件が悪化したときにいつでも格納することが可能になる。
【００３０】
図８は、パネル１０を格納するためのハウジング７４を支持する街灯７０を示す。パネル１０は、図８ｂおよび図８ｃに示す展開動作位置においてハウジング７４から展開させることができ、太陽エネルギーの最適利用のために上述したように方向付けることができる。全実施形態において、生成されたエネルギーをその場で利用することもできるし、あるいは、本システムにバッテリを設けて生成エネルギーを保存してもよいし、あるいは、当該分野において周知のように、インバータを介して本システムをグリッドに接続してもよい。
【００３１】
図９および図１０において、屋外看板８０は、ハウジング７４を含む。図９ｂ、図１０ｂ、図１０ｃおよび図１０ｄに示すように、ハウジング７４内からパネル１０を展開させることができる。
【００３２】
図１０ｆはハウジング７４を示し、図１０ｅは、ハウジング７４内に格納されたパネル１０の詳細を示す。
【００３３】
図１１において、張出し屋根９２下に設けられた下端９０にパネル１０が固定されている様子が図示されている。各パネル１０は、枢動可能に電動シャフト９４に固定することができる。電動シャフト９４は、図１１ｂおよび図１１ｃに最良に示すように、前記屋根の縁部に固定され、図１１ｂ中の動作位置１０ａにおいて下端９０から展開されるか、または、図１１ｃ中に示す静止位置１０ｂにおいて下端９０の下側において折りたたまれる。これら２つの極端位置間において、ソーラーパネル１０を太陽位置に応じて方向付けることができる。図１１ｄは、パネル１０の詳細を示し、シャフト９４周囲においてパネル１０を回転起動用のモータおよび送信ユニット１００が設けられている。そのため、動作位置において、太陽に追随できるようにパネル１０を方向付けることができる。下端９０の下側に、固定用の穴部１１０が設けられ得る。
【００３４】
あるいは、図１１ｅ中に示すように下端９０に対して垂直（Ｖ）な軸周囲においてパネルを旋回させてもよい。
【００３５】
明らかに、概して水平方向である建物の複数の下方を向く表面により、パネルを同様に保護することができる。
【００３６】
図１２に示す実施形態において、ソーラーパネル１０が家屋の屋根側に据え付けられている様子が図示されている。ソーラーパネル１０は、完全伸長位置（図１２ａ〜図１２ｃ）と、折りたたみ位置（図１２ｄ）とにある。この実施形態において、下面に固定された中央部分２０１上にパネル１０の横部分２００および２０２を折りたたむことができ、これにより、この中央部分２０１の作動面と、横部分２００および２０２のそれぞれの作動面とを保護することができる。中央部分２０１は、太陽に対して方向付けることができる。例えば、図１２ｃに示すように、２つの１／２部分からなる中央部分２０１において、これら１／２部分それぞれを太陽に対して方向付けることができる。電動ユニット２２０（例えば、伝動、駆動ベルトおよび伝動シャフト２１０を含む）により、横部分２００および２０２の動作（図１２ｂの矢印Ｅを参照）が可能になる。
【００３７】
図１３において、ソーラーパネル１０は、屋根上面３００上に配置されている。ハウジング３１０がパネル１０を支持している様子を図示されており、パネル１０は、旋回システム３２０を介して、図１３ａおよび図１３ｂ中に示す上向き位置と、図１３ｃ中に示す下向き位置との間で回転可能である。上向き位置において、パネル１０の作動表面は上向きに露出しているため、太陽位置に従う作動位置において動作可能であり、下向き位置において、パネル１０の作動表面はハウジング３１０中において保護される。あるいは、前記ハウジングそのものを内部においてパネルを固定した状態で回転可能としてもよい。このようなパネルは、図１３ａ中に示すように、アレイ状に配置して利用することができる。駆動ベルト３２２を用いて、パネル１０を駆動して回転させることができ（図１３ｂおよび図１３ｃ中の矢印Ｆを参照）これにより、太陽位置に従ってパネル１０を最適な作動位置へと配置し、パネル１０を作動位置から完全な下向き位置（図１３ｃ）へと傾斜させることができる。ハウジング３１０内において、複数のパネルを積み重ねることができる。
【００３８】
図１３ｄにおいて、パネル１０を固定ハウジング３１０内からおよび当ハウジング内に平行移動させることもできるし、あるいは、ハウジング３１０をパネル１０に対して平行移動させて、パネル１０を被覆してもよい（矢印Ｇを参照）。その後、例えば上述したように旋回システム３２０により、屋根表面上において前記パネルを懸架する。
【００３９】
このような保護用ハウジングまたは図１中に示すような任意のシェルター１６を、建物の壁部上またはさらには屋外の地上や、中庭や、セメント面などの上に配置することが企図される。
【００４０】
前記パネルを保護するハウジング３１０は、他の任意の手段（非限定的に例を挙げると、建物壁部、屋根、屋根板など）と代替することもできる。
【００４１】
図１４中において、パネル１０は、レール４１０またはホイールなど上において移動する（矢印Ｈを参照）カバー４００により、固定および保護することができる。
【００４２】
図１５において、前記パネルは、屋根板として配置される（図１５ａを参照）。図１５ｂにおいて、パネル１０は、移動カバー５００により、被覆されているのを示す。図１５ｃ中に最良に示すように、電動ユニットおよび送信ユニット５１０により、軸周囲においてパネル１０を回転させることが可能になる（矢印Ｌを参照）。
【００４３】
図１６において、パネル１０は、シャッター６００の内面へ固定され、これにより、シャッター６００が開かれると、パネル１０は、シャッター６００のヒンジ周囲を回転する（矢印Ｍを参照）ことにより、作動位置となる。図１６ｃに示すように、パネル１０を軸６０２、軸６０４および軸６０６周囲においてさらに回転させて、作動位置においてさらに方向付けることができる。
【００４４】
図１７において、パネル１０は、オーニング７００に固定される。オーニング７００は、図１７ａに示すような折りたたみ位置において壁部に対して格納することができ、図１７ｂに示すような張出し位置へと展開させることができる。図１７ｃに最良に示すように、電動ユニットおよびベルトにより、例えばアーム７２０をレール７３０に沿って動作させること（矢印Ｎを参照）が可能になる。その後、アーム７１０の垂直位置により、順々に前記オーニング（すなわち、パネル１０）の傾斜角度が制御される。この実施形態において、可撓性パネル１０が用いられる。なぜならば、これらのパネル１０は、折りたたみ位置において可撓性であることが意図されるオーニング７００によって支持されるからである。あるいは、パネル１０をオーニングによって支持せずに自立させてもよい。
【００４５】
全ての記載の実施形態において、ドアパネルの退避／展開は、手動で行ってもよいし、自動的に起動してもよい。家屋内の人によるアクセスのために例えばオン／オフスイッチボタンを設けることで、例えば気象条件に従って、家屋のパネルを作動位置にするかまたは保護位置にするかを決定することが可能になる。
【００４６】
あるいは、例えば気象予報およびウェブまたは携帯電話上の警報に従って、家屋のソーラーパネルの退避／展開をリモートでまたはネットワークを通じて監視することもでき、これにより、例えば雹が予測される場合、全ソーラーパネルを保護位置に退避させる。本システムにバッテリを設けて自家動力型としてもよいし、あるいは、本システムを建物の電力システムに接続してもよい。本システムは、例えばクランクを用いて手動で作動させてもよい。
【００４７】
例えば気圧計、フォトセル、風センサまたは温度計や、圧力閾値または光度閾値にそれぞれ応じてソーラーパネルを退避／展開させるためのプログラムにソーラーパネルを接続することも、規図される。
【００４８】
当業者であれば理解するように、本システムは、悪影響の無い環境条件下においてソーラーパネルをフル作動することを可能にしつつ、必要なときにソーラーパネルを効率的に保護することができる。悪条件の例を挙げると、例えば、豪雨、雹またはみぞれ、霜、吹雪、ほこりまたは砂嵐、虫または鳥の大群、およびソーラーパネルの損傷またはソーラーパネル効率低下の原因となり得る全てのものがある。興味深いことに、本システムは、前記パネル（単数または複数）を盗難から保護することもできる。
【００４９】
実際に、必要なのは、例えば建物壁部または車両あるいは屋根空間内のアパチャおよびシステムの収納のみであるため、作業が極めて少なくてすむ。あるいは、本システムを屋根の縁部に固定するだけでよい。あるいは、本システムを屋根上面上に固定するだけでよい。
【００５０】
全ての場合において、本システムは、コンパクトで、非侵略的で、美観に優れかつコスト効率の良い様態において、建物の特徴に適合する。
【００５１】
本明細書中上記において、本発明について実施形態を交えて説明してきたが、本発明は、本明細書中に記載のような発明の本質および教示内容から逸脱することなく、改変が可能である。
【符号の説明】
【００５２】
１０  ・・・ソーラーパネル、      １２  ・・・マイクロコントローラ、      １６  ・・・シェルター、      １８  ・・・フォトレジスティブセル／フォトトランジスタ、      ２０、２２  ・・・センサ、      ３０  ・・・外部ネットワーク、      ３２  ・・・ユーザインターフェース、      ３４  ・・・気象観測所、      ４０  ・・・家屋、４２  ・・・壁部、      ４８  ・・・シャフト、      ５２、４１０、７３０  ・・・レール、      ６０、７４、３１０  ・・・ハウジング、      ７０  ・・・街灯、      ８０  ・・・屋外看板、      ９２  ・・・張出し屋根、      ９４  ・・・電動シャフト、      １００  ・・・送信ユニット、      ２２０  ・・・電動ユニット、      ３００  ・・・屋根上面、      ３２０  ・・・旋回システム、      ４００  ・・・カバー、      ５００  ・・・移動カバー、      ６００  ・・・シャッター、      ６０２、２０４、６０６  ・・・軸、      ７００  ・・・オーニング
【図１】
0005607661.tif 000002
【図２】
0005607661.tif 000003
【図３ａ】
0005607661.tif 000004
【図３ｂ】
0005607661.tif 000005
【図３ｃ】
0005607661.tif 000006
【図４ａ】
0005607661.tif 000007
【図４ｂ】
0005607661.tif 000008
【図５ａ】
0005607661.tif 000009
【図５ｂ】
0005607661.tif 000010
【図５ｃ】
0005607661.tif 000011
【図５ｄ】
0005607661.tif 000012
【図５ｅ】
0005607661.tif 000013
【図６ａ】
0005607661.tif 000014
【図６ｂ】
0005607661.tif 000015
【図７ａ】
0005607661.tif 000016
【図７ｂ】
0005607661.tif 000017
【図７ｃ】
0005607661.tif 000018
【図８ａ】
0005607661.tif 000019
【図８ｂ】
0005607661.tif 000020
【図８ｃ】
0005607661.tif 000021
【図９ａ】
0005607661.tif 000022
【図９ｂ】
0005607661.tif 000023
【図１０ａ】
0005607661.tif 000024
【図１０ｂ】
0005607661.tif 000025
【図１０ｃ】
0005607661.tif 000026
【図１０ｄ】
0005607661.tif 000027
【図１０ｅ】
0005607661.tif 000028
【図１０Ｆ】
0005607661.tif 000029
【図１１ａ】
0005607661.tif 000030
【図１１ｂ】
0005607661.tif 000031
【図１１ｃ】
0005607661.tif 000032
【図１１ｄ】
0005607661.tif 000033
【図１１ｅ】
0005607661.tif 000034
【図１２ａ】
0005607661.tif 000035
【図１２ｂ】
0005607661.tif 000036
【図１２ｃ】
0005607661.tif 000037
【図１２ｄ】
0005607661.tif 000038
【図１３ａ】
0005607661.tif 000039
【図１３ｂ】
0005607661.tif 000040
【図１３ｃ】
0005607661.tif 000041
【図１３ｄ】
0005607661.tif 000042
【図１４】
0005607661.tif 000043
【図１５ａ】
0005607661.tif 000044
【図１５ｂ】
0005607661.tif 000045
【図１５ｃ】
0005607661.tif 000046
【図１６ａ】
0005607661.tif 000047
【図１６ｂ】
0005607661.tif 000048
【図１６ｃ】
0005607661.tif 000049
【図１７ａ】
0005607661.tif 000050
【図１７ｂ】
0005607661.tif 000051
【図１７ｃ】
0005607661.tif 000052